(57)【要約】      （修正有）【課題】観察者が手に持つことなく、且つ、観察姿勢を安定させて立体映像コンテンツを視聴可能とし、観察時の利便性を高めた映像観察装置を提供する。【解決手段】情報処理端末１０の表示部１１に表示された映像を観るための映像観察装置１であって、観察者の眼前に配置され、左右の眼に対応した箇所に配置されるレンズ部２１と、机等の台上に設置され、情報処理端末１０が載置される台座部２３と、レンズ部２１と台座部２３との位置関係を固定する連結部２２とを備え、台座部２３は、台の表面に対して３０度で傾斜される斜面シート２３３を有し、連結部２２は、斜面シート２３３とレンズシート２１１とが平行となるように保持する。【選択図】図１
0003185458.tif 000002
【実用新案登録請求の範囲】
【請求項１】
情報処理端末の表示部に表示された映像を観るための映像観察装置であって、
観察者の眼前に配置され、左右の眼に対応した箇所に配置されるレンズ部と、
所定の水平面上に設置され、前記情報処理端末が載置される台座部と、
前記レンズ部と前記台座部との位置関係を固定する連結部と
を備え、
前記台座部は、前記水平面に対して所定角度で傾斜される斜面を有し、
前記連結部は、前記斜面と前記レンズ部の面とが平行となるように保持する
ことを特徴とする映像観察装置。
【請求項２】
前記レンズ部、前記連結部、前記台座部の順に一体的に連結されている
ことを特徴とする請求項１に記載の映像観察装置。
【請求項３】
前記前記レンズ部、前記連結部、及び前記台座部は、一枚の部材を折り曲げて一体的に形成されている
ことを特徴とする請求項１又は２に記載の映像観察装置。
【請求項４】
前記連結部は、
前記レンズ部の面に対して垂直方向に延びて形成される枠体部と、
前記水平面上に設置される断面Ｌ字状の角度保持部と
からなり、
前記レンズ部、前記枠体部、前記角度保持部、前記台座部の順に形成されている
ことを特徴とする請求項１乃至３のいずれかに記載の映像観察装置。
【請求項５】
前記角度保持部は、前記台座部に連結し、前記斜面上に配置された前記情報処理端末の移動を制限する機能をさらに備えることを特徴とする請求項１乃至４のいずれかに記載の映像観察装置。
【請求項６】
前記レンズ部と前記台座部との間に配置され、前記情報処理端末に表示された右眼用の映像光と左眼用の映像光とを分離する仕切部をさらに備えることを特徴とする請求項１乃至５のいずれかに記載の映像観察装置。
【請求項７】
前記連結部には、前記レンズ部を前記台座部の斜面に対して垂直方向に伸縮させるスライド部が設けられることを特徴とする請求項１乃至６のいずれかに記載の映像観察装置。
【請求項８】
前記レンズ部には、一対の貫通孔を有し、
前記一対の貫通孔には、それぞれに嵌合される一対のレンズ部材を備え、
前記レンズ部の表面には、嵌合される前記一対のレンズの位置を調整するための基準表示が記され、
前記基準表示に基づいて配置された前記一対のレンズ部材を位置決めする固定部とを備える
ことを特徴とする請求項１乃至７のいずれかに記載の映像観察装置。
【請求項９】
前記台座部の斜面と同角度の斜面を有し、前記情報処理端末の一端を支持する支持部をさらに備える
ことを特徴とする請求項１乃至８のいずれかに記載の映像観察装置。
【考案の詳細な説明】
【技術分野】
【０００１】
本考案は、情報処理端末の表示部に表示された立体映像を見るための映像観察装置に関する。
【背景技術】
【０００２】
従来、観察者の左眼及び右眼に互いに視差がある２次元映像である左眼用映像と右眼用映像を、別々に提供して立体視を実現する技術が知られている（例えば、特許文献１）。
【０００３】
特許文献１に開示された技術は、電子機器の表示素子（ディスプレイ）の側面に双眼レンズ付きアーム部品を固定することで、表示素子に表示した画像を立体画像として再生するものである。
【先行技術文献】
【特許文献】
【０００４】
【特許文献１】特開２０１１−１５４１４４号公報
【考案の概要】
【考案が解決しようとする課題】
【０００５】
しかしながら、特許文献１に開示されたような映像観察装置では、電子機器とレンズ部とをアーム部によって固定した構成であるため、このような映像観察装置を用いて映像又は画像を観察する場合、観察者は映像観察装置を手に持ち、レンズを目に近接させたまま観察しなければならず、長時間の観察は不便であるという問題があった。
【０００６】
また、特許文献１に開示されたような映像観察装置は略直方体の形状をなしているため、例えば、机等の台に配置して、観察者が手に持たずに観察する場合、例えば、顔を真下に向けて観察したり、机の縁に観察者の顔を近接させたりするなど、観察者に対して窮屈な姿勢を強要することとなり、観察姿勢の安定性を欠くという問題があった。
【０００７】
そこで、本考案は以上の点に鑑みてなされたもので、観察者が手に持つことなく、且つ、観察姿勢を安定させて立体映像コンテンツを視聴可能とし、観察時の利便性を高めることができる映像観察装置を提供することをその課題とする。
【課題を解決するための手段】
【０００８】
上記課題を解決するために、本考案は、情報処理端末の表示部に表示された映像を観るための映像観察装置であって、観察者の眼前に配置され、左右の眼に対応した箇所に配置されるレンズ部と、所定の水平面上に設置され、情報処理端末が載置される台座部と、レンズ部と台座部との位置関係を固定する連結部とを備え、台座部は、前記水平面に対して所定角度で傾斜される斜面を有し、連結部は、斜面とレンズ部の面とが平行となるように保持することを特徴とする。
【０００９】
このような考案によれば、台座部には、水平面に対して所定角度で傾斜された斜面を有し、この斜面とレンズ部の面とが平行となるように保持されているので、この斜面に情報処理端末を置くことで、表示部に表示された映像は、水平面に対して所定角度傾いた状態で射出され、射出された映像は、斜面と平行に位置するレンズを介して観察者の眼に入射されることとなる。これにより、本考案では、例えば、観察者が机に座るなど観察姿勢を安定させた状態で、且つ、映像観察装置を手に持つことなく立体映像コンテンツを視聴することができ、観察時の利便性を高めることができる。
【００１０】
また、本考案では、多くの人が所有する情報処理端末を用いて右眼用及び左眼用の画像を表示させ、その他は、レンズ部と台座部など最低限の構成としているので、情報処理端末以外の構成部材を簡易且つ安価に製造できるため、多くのユーザーに立体映像を観察させる機会を増やすことができる。
【００１１】
なお、水平面に対する所定角度としては、観察者が安定した姿勢で立体映像コンテンツを視聴することができればよく、任意に設定可能である。また、上記考案において、「情報処理端末が載置される」という形態としては、台座部上に情報処理端末が単に置かれた状態、或いは係合又は収納などの方式の他、台座部が情報処理端末上に載置、係合等の工程方式などが挙げられる。
【００１２】
上記考案において、レンズ部、連結部、台座部の順に一体的に連結されていることが好ましい。この場合には、各部は、レンズ部、連結部、台座部の順に一体的に連結されているため、組み立てることで３方向を囲むような形状となり、その内部に情報処理端末を配置させることのみで、立体映像を観察させることができる。このように、本考案によれば、簡易な構造であるため、ユーザーにとっては組み立てが容易となる。また、各部材を別途組付ける必要がないため、製造工程を減らし、製造コストを低減させることができる。
【００１３】
上記考案において、レンズ部、連結部、及び台座部は、一枚の部材を折り曲げて一体的に形成されていることが好ましい。この場合には、レンズ部、連結部、及び台座部は、一枚の部材を折り曲げて利用可能な簡易な構造であるから、観察者にとっては組み立てが容易となり、製造者側にあっては、各部材を別途組付ける必要がないため、製造工程を減らし、製造コストを低減させることができる。
【００１４】
上記考案において、連結部は、レンズ部の面に対して垂直方向に延びて形成される枠体部と、水平面に設置されるＬ字状の角度保持部とからなり、各部は、レンズ部、枠体部、角度保持部、台座部の順に連結されていることが好ましい。
【００１５】
この場合、台座部と枠体部とは、Ｌ字状の角度保持部を介して連結されているので、枠体部を台座部の斜面の傾斜角度と同じ角度に傾かせることができる。そして枠体部は、レンズ部の面と垂直方向に延びて形成されているため、レンズ部と台座部の斜面とは平行となる。
【００１６】
そのため、台座部の斜面に情報処理端末を置くことで、表示部に表示された映像は、水平面に対して所定角度傾いた状態で射出され、射出された映像は、斜面と平行に位置するレンズを介して観察者の眼に入射されることとなる。したがって、本考案では、例えば、観察者が机に座るなど観察姿勢を安定させた状態で、且つ、映像観察装置を手に持つことなく立体映像コンテンツを視聴することができるので、観察時の利便性を高めることができる。
【００１７】
上記考案において、角度保持部は、台座部に連結し、斜面上に配置された情報処理端末の移動を制限する機能をさらに備えることが好ましい。この場合に、角度保持部は、斜面に設置された情報処理端末の移動を制限するので、立体映像が適切に観察することができる位置に情報処理端末を固定でき、立体映像を観察するための設定を容易にすることができる。
【００１８】
また、上記考案において、レンズ部と台座部との間に配置され、情報処理端末に表示された右眼用の映像光と左眼用の映像光とを分離する仕切部をさらに備えることが好ましい。この場合には、情報処理端末に表示された右眼用の映像光及び左眼用の映像光が反対側の眼に入射されることを防止することができるため、簡易ながらも良好な立体映像を観察させることができる。
【００１９】
上記考案において、連結部には、レンズ部を台座部の斜面に対して垂直方向に伸縮させるスライド部が設けられることが好ましい。この場合には、レンズ部を台座部の斜面に対して垂直方向に伸縮することができるため、台座部に設置される情報処理端末の厚みに合わせて、表示部からレンズ部までの間隔を微調整できる。その結果、各メーカーから製造され、厚みの異なる情報処理端末に対応した設定が可能となり、様々な種類の情報処理端末で立体画像を観察させることができる。
【００２０】
上記考案において、レンズ部には、一対の貫通孔を有し、一対の貫通孔には、それぞれに嵌合される一対のレンズ部材を備え、レンズ部の表面には、嵌合される一対のレンズ部材の位置を調整するための基準表示が記され、基準表示に基づいて配置された一対のレンズ部材を位置決めする固定部とを備えることが好ましい。
【００２１】
この場合には、基準表示に基づいてレンズ部材を貫通孔に配置させて、固定部で位置決めするので、観察者によって異なる瞳孔の位置に対応してレンズ部材を固定でき、立体映像を観察するための設定を容易にすることができる。また、この場合、レンズ部材は着脱可能であるため、例えば、屈折度数の異なるレンズ部材を複数容易し、観察者の視力に応じてレンズ部材を変更してもよい。なお、レンズシートに取り付けられるレンズ部材は、１枚のレンズ部材のみならず、複数のレンズ部材を重ねて利用することもできる。この場合には、例えば、視力が弱く通常眼鏡を使用している観察者であっても、眼鏡をはずした状態で立体画像を観察させることができる。
【００２２】
上記考案において、台座部の斜面と同角度の斜面を有し、情報処理端末の一端を支持する支持部をさらに備えることが好ましい。この場合には、例えば、表示部のサイズが大きいタブレット端末を用いた場合でも、一端を台座部の斜面に配置させ、他端を支持部で支持することで、タブレット端末の表示部をレンズ部に対して平行に設置することができ、適切に立体映像を観察させることができる。
【考案の効果】
【００２３】
以上述べたように、この考案によれば、スマートフォンや携帯電話、タブレットＰＣなどの情報処理端末の表示部に表示された映像を立体視する際に、観察者が手に持つことなく、且つ、観察姿勢を安定させて立体映像コンテンツを視聴可能とし、観察時の利便性を高めることができる。
【図面の簡単な説明】
【００２４】
【図１】（ａ）及び（ｂ）は、第１実施形態に係る立体映像観察装置の全体構成を示す斜視図である。
【図２】第１実施形態に係る筐体を側方より示す断面図である。
【図３】第１実施形態に係る筐体を展開した展開図である。
【図４】第１実施形態に係る筐体に仕切板が係合された状態を示す要部断面図である。
【図５】（ａ）及び（ｂ）は、第１実施形態に係る筐体に情報処理端末を配置させる状態を示す斜視図である。
【図６】第１実施形態に係る情報処理端末から射出された映像が観察者の眼に入射される状態を側面より示す説明図である。
【図７】（ａ）及び（ｂ）は、第２実施形態に係る立体映像観察装置の全体構成を示す斜視図である。
【図８】（ａ）及び（ｂ）は、第２実施形態に係るレンズ部の位置が変更される状態を示す斜視図である。
【図９】第２実施形態に係る情報処理端末から射出された映像が観察者の眼に入射される状態を側面より示す説明図である。
【図１０】（ａ）は、変形例に係るレンズ部に形成される基準表示を示す上面図であり、同図（ｂ）は、変形例に係るレンズ部に形成される固定部を示す上面図である。
【図１１】（ａ）及び（ｂ）は、変形例に係る支持部で情報処理端末を支持する状態を示す要部断面図である。
【図１２】（ａ）及び（ｂ）は、変形例に係る立体映像観察装置の全体構成を示す斜視図である。
【考案を実施するための形態】
【００２５】
以下、本考案に係る３Ｄビューアである立体映像観察装置の実施形態について図面を参照しつつ、詳細に説明する。
【００２６】
［第１実施形態］
図１（ａ）及び図１（ｂ）は、第１実施形態に係る立体映像観察装置の全体構成を示す斜視図であり、図２は、第１実施形態に係る筐体を展開した展開図である。図３は、第１実施形態に係る筐体を展開した展開図であり、図４は、第１実施形態に係る筐体に仕切板を係合させた状態を示す要部断面図である。また、図５（ａ）及び図５（ｂ）は、第１実施形態に係る筐体に情報処理端末を配置させる状態を示す斜視図である。
【００２７】
図１に示すように、本考案に係る映像観察装置１は、観察者が所有する情報処理端末１０の表示部１１に表示された映像を観るための装置であって、情報処理端末１０と、情報処理端末１０を収納する筐体２０と、情報処理端末１０に表示された右眼用の映像光と左眼用の映像光とを分離する仕切部３０から構成される。
【００２８】
情報処理端末１０は、無線通信を利用した、携帯可能な情報処理端末であり、基地局等の中継点情報処理端末が無線で通信し、通話やデータ通信等の通信サービスを移動しつつ受けることができる。この情報処理端末の通信方式としては、例えば、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等が挙げられる。また、この情報処理端末は、デジタルカメラ機能、アプリケーションソフトの実行機能、あるいはＧＰＳ（Ｇｌｏｂａｌ  Ｐｏｓｉｔｉｏｎｉｎｇ  Ｓｙｓｔｅｍ）等による位置情報  情報処理端末のメモリは、ＯＳ（Ｏｐｅｒａｔｉｎｇ  Ｓｙｓｔｅｍ）や、立体映像コンテンツ、その他、当該端末に搭載される各種のアプリケーション用のプログラム、当該端末の機器識別情報（ＩＤ）などが記憶されている。
【００２９】
情報処理端末のＣＰＵは、一般のＯＳやブラウザソフト、メディア視聴アプリケーションを実行する。本実施形態において、ＣＰＵは、視力能力に関する各種のプログラムを実行し、メモリに記録された立体映像コンテンツを表示部１１に表示させる。
【００３０】
このＣＰＵにおいて、本考案に係る各種プログラムが実行されると、映像として、観察者の左右の眼に対応させた左眼用映像と右眼用映像との間に、輻輳角及び視差を発生させて構成された立体映像を画面上に表示させるとともに、立体映像の輻輳角及び視差を変化させて、観測者の眼に対する焦点を、観察者に対して接近及び離隔するように誘導する。これによって右眼には右眼用映像のみ焦点が合うとともに、左眼には左眼用映像のみ焦点が合うようになっている。
【００３１】
筐体２０は、紙、又はプラスチック等で形成され、図１及び図２に示すように、観察者の眼前に配置されるレンズ部２１と、情報処理端末１０が載置される台座部２３と、レンズ部２１と台座部２３との位置関係を固定する連結部２２とを備える。
【００３２】
レンズ部２１は、一枚のレンズシート２１１からなり、このレンズシート２１１上にレンズ部材２１２，２１２が形成されている。具体的には、レンズシート２１１における左右の眼に対応した箇所に一対の貫通孔を有し、当該貫通孔に一対のレンズ部材２１２，２１２が嵌合されて形成されている。一対のレンズ部材２１２，２１２は、焦点に作られた実像を拡大する凸状の接眼レンズであり、レンズ部２１上において、左右の眼に対応した箇所に配置されている。なお、レンズの形状は、限定するものではなく、例えば、通常の凸レンズを同心円状の領域に分割し厚みを減らして、のこぎり状の断面を持つシート状のフレネルレンズを用いてもよい。
【００３３】
台座部２３は、折り目又はミシン目を介して折り曲げ可能なシート部材からなり、シート部材が折り曲げられることで、図１（ａ）及び（ｂ）に示すように、略三角柱状に形成される。具体的には、水平面である台９上に設置される底面シート２３１と、底面シート２３１と垂直方向に延びる側面シート２３２と、所定の角度で傾斜される斜面シート２３３とからなる。
【００３４】
本実施形態においては、図２に示すように、台座部２３が略三角柱状に組み立てられた場合、斜面シート２３３と台９の表面又は底面シート２３１とのなす角度θ１が約３０度となるようになっている。そして、この斜面シート２３３上に情報処理端末１０が配置されるようになっている。
【００３５】
連結部２２は、図１及び図２に示すように、レンズ部２１と連結される枠体部２２ａと、枠体部２２ａと連結された略Ｌ字状の角度保持部２２ｂとから構成される。枠体部２２ａは、レンズシート２１１と連結してレンズシート２１１の位置を固定する部材であり、レンズシート２１１に対して垂直方向に延びる背面シート２２１と、背面シート２２１の両側部に設けられる一対の側面シート２２４，２２５とから形成され、一対の側面シート２２４，２２５が背面シート２２１に対して折り曲げられて、略直方体状をなしている。
【００３６】
一方、角度保持部２２ｂは、図２に示すように、枠体部２２ａの下方に位置し、台９と当接されて、枠体部２２ａを保持する部材であり、枠体部２２ａの背面シート２２１と連結する角度保持シート２２２と、角度保持シート２２２と一端が連結し、他端が台座部２３の斜面シート２３３と連結する連結シート２２３とから形成されている。
【００３７】
このような筐体２０は、図３に示した展開図のように、一枚のシート部材を切り抜くことにより一体的に形成され、この一枚のシート部材を折り曲げることで成形される。具体的には、図３に示すように、一端にレンズシート２１１が形成されている。そして、レンズシート２１１の一端には、連結部２２の背面シート２２１が連結され、また、背面シート２２１のレンズ部２１が連結された側とは反対側の一端には、角度保持シート２２２が連結されている。
【００３８】
さらに、角度保持シート２２２の背面シート２２１が連結された側とは反対側の一端には、連結シート２２３が連結される。連結シート２２３の他端には、台座部２３の斜面シート２３３が連結され、その後、側面シート２３２、底面シート２３１の順で連結されている。すなわち、本実施形態において、筐体２０は、レンズ部２１、枠体部２２ａ、角度保持部２２ｂ、台座部２３の順に一体的に連結されている。
【００３９】
また、図３に示すように、背面シート２２１の両側部には、側面シート２２４，２２５が連結されている。また、側面シート２２４の上下辺には、のりしろ部２２４ａ，２２４ｂが連結され、側面シート２２５の上下辺には、のりしろ部２２５ａ，２２５ｂが連結されている。のりしろ部２２４ａ，２２５ａをレンズシート２１１の一部に当接するとともに、のりしろ部２２４ｂ，２２５ｂを角度保持シート２２２に当接した状態で両面テープやのり等の接着部材によって貼り合わせることで、図２に示すように、レンズシート２１１と背面シート２２１とのなす角度θ２が９０°となり、背面シート２２１と角度保持シート２２２とのなす角度θ３が９０°となる。これにより、レンズシート２１１と角度保持シート２２２との平行状態が保たれるようになっている。
【００４０】
なお、レンズシート２１１から斜面シート２３３までの距離は、観察者が一対のレンズ部２１，２１から映像を見た際に立体映像を良好に見ることができるように所定の長さとなっている。また、各部の連結部分には、それぞれ内側に折り曲げやすくなるように、折り目又はミシン目が形成されている。また、レンズシート２１１上には、係止孔２１１ａが設けられているとともに、角度保持シート２２２上においても係止孔２２２ａが設けられている。
【００４１】
そして、このようなシート状の筐体２０が組み立てられた状態で、レンズ部２１と台座部２３との間に仕切部３０が着脱可能に設けられてる。仕切部３０は、紙、又はプラスチック等で形成され、略正方形上のシート部材である。この仕切部３０は、一対のレンズ部材２１２，２１２の間をレンズ部２１から台座部２３に亘って設けられている。これにより、情報処理端末１０に表示された右眼用の映像光及び左眼用の映像光が反対側の眼に入射されることを防止している。
【００４２】
仕切部３０は、筐体２０と係合されて固定されるようになっている。具体的には、図４に示すように、仕切部３０の連結部２２側の上下には、一対の突出部３０２，３０３が形成されており、突出部３０２は、レンズシート２１１に形成された係止孔２１１ａに挿通されて係合されるようになっている。また、突出部３０３は、角度保持シート２２２に形成された係止孔２２２ａに挿通されて係合されるようになっている。また、仕切部３０の上端には、切欠部３０１が形成されており、この切欠部３０１にレンズシート２１１の端が挿通されて係合されるようになっている。
【００４３】
このように筐体２０に仕切部３０を係合させた状態で、図５（ａ）及び（ｂ）に示すように、筐体２０を机等の台９に置き、情報処理端末１０を、表示部１１が上向きになった状態で台座部２３上に配置させる。その後、図６に示すように、情報処理端末１０を斜面シート２３３上に配置させると、情報処理端末１０の重さで、斜面シート２３３は、台９の表面、又は底面シート２３１に対して約３０°の角度（図６中におけるθ１）で傾斜した状態となる。この際、情報処理端末１０は、重さで連結シート２２３側に移動するが、情報処理端末１０の側面が連結シート２２３と当接することで、情報処理端末１０の移動は制限される。
【００４４】
情報処理端末１０の側面が連結シート２２３と当接した状態では、情報処理端末１０の重さによって、斜面シート２３３と底面シート２３１との交差部分（図６中：Ｐ１）が情報処理端末１０の重力の作用点となり、台座部２３の略三角柱状が固定される。また、角度保持シート２２２と背面シート２２１との連結部分（図６中：Ｐ２）についても台９に接触して支点となり、角度保持シート２２２と台９の表面とのなす角度θ４は約３０°となり、角度保持シート２２２は、斜面シート２３３と同角度で傾斜した状態が維持される。また、角度保持シート２２２と連結シート２２３とのなす角度θ５は９０度となる。
【００４５】
なお、レンズシート２１１と、角度保持シート２２２及び背面シート２２１とは、のりしろ部によって固着されているので、背面シート２２１と角度保持シート２２２とのなす角度θ３は９０度となり、背面シート２２１とレンズシート２１１とのなす角度θ２は９０度となり、各部材の垂直状態は維持される。
【００４６】
そして、このような状態で表示部１１に立体映像を表示させると、図６に示すように、表示部１１から出射された映像光は、一対のレンズ部材２１２，２１２側へ出射される。この際、仕切部３０によって、一対のレンズ部材２１２，２１２には、それぞれ右眼用画像及び左眼用画像が入射され、観察者の眼ＥＹＥには立体映像が見えるようになる。この際、表示部１１上仮想空間内に位置及び向きが変化するオブジェクトを表示させたり、そのオブジェクトを変化させて、観察者がこのオブジェクトを眼で追うことで、眼の各種筋肉を活性化させ、以て視力を回復させることができ、例えば、視力回復等に用いることができる。
【００４７】
（作用・効果）
このような本実施形態によれば、台座部２３には、台９の表面に対して３０度で傾斜された斜面シート２３３を有し、この斜面シート２３３とレンズシート２１１とは、枠体部２２ａ及び角度保持部２２ｂからなる連結部２２によって平行となるように保持されているので、この斜面シート２３３に情報処理端末１０を置くことで、表示部１１に表示された映像は、台９の表面に対して約６０度傾いた状態で射出され、射出された映像は、斜面シート２３３と平行に位置するレンズ部材２１２，２１２を介して観察者の眼に入射されることとなる。これにより、本実施形態では、例えば、観察者が机に座るなど観察姿勢を安定させた状態で、且つ、映像観察装置を手に持つことなく立体映像コンテンツを視聴することができ、観察時の利便性を高めることができる。
【００４８】
また、本実施形態では、多くの人が所有する情報処理端末１０を用いて右眼用及び左眼用の画像を表示させ、その他は、レンズ部２１など最低限の構成とした筐体２０を用いているので、偏光レンズやレンズシャッタ制御機構など高価な機器を用いることなく、簡易且つ安価に立体映像を観察させることができる。
【００４９】
また、筐体２０には、レンズ部２１と台座部２３との間に右眼用の映像光と左眼用の映像光とを分離する仕切部３０を有しているので、これによって右眼には右眼用映像のみが入射され、左眼には左眼用映像のみが入射されるので、良好な立体映像が観察させることができる。
【００５０】
さらに、本実施形態によれば、筐体２０は、一枚のシート部材で形成されており、各部材を各連結部分で折り曲げることのみで利用可能な簡易な構造となっている。そのため、ユーザーにとっては組み立てが容易となる。また、各部材を別途組付ける必要がないため、製造工程を減らし、製造コストを低減させることができる。
【００５１】
また、角度保持部２２ｂの連結シート２２３は、斜面シート２３３に連結し、斜面シート２３３上に配置された情報処理端末１０の側面と当接して端末の移動を制限するストッパーの機能を備えているので、立体映像が適切に観察することができる位置に情報処理端末を固定でき、立体映像を観察するための設定を容易にすることができる。
【００５２】
［第２実施形態］
次いで、本考案の第２実施形態について説明する。上述した実施形態では、レンズ部２１と台座部２３とは一枚のシート部材から連結され、レンズ部２１と台座部２３との間隔が一定である場合を例に説明したが、本実施形態では、レンズ部２１がスライド移動可能となり、台座部２３との間隔を調整可能である場合を例に説明する。
【００５３】
図７（ａ）及び（ｂ）は、第２実施形態に係る立体映像観察装置１ａの全体構成を示す斜視図であり、図８（ａ）及び（ｂ）は、第２実施形態に係るレンズ部の位置が変更される状態を示す斜視図である。また、第２実施形態に係る情報処理端末から射出された映像が観察者の眼に入射される状態を側面より示す説明図である。
【００５４】
なお、本実施形態において、上述した第１実施形態と同一の構成要素には同一の符号を付し、その機能等は特に言及しない限り同一であり、その説明は省略する。また、本実施形態においては、背面シート２２１の仕切部３０が位置する面を表面と称し、反対側の面を裏面と称する。
【００５５】
本実施形態では、図７（ａ）及び（ｂ）に示すように、連結部２２には、内部中空のスロット部２２６が設けられ、レンズ部２１には、スロット部２２６の内部を上下にスライド移動するスライド部２１４が連結されている。
【００５６】
スロット部２２６は、背面シート２２１の裏面に設けられ、背面シートの略中央をレンズ部２１側から角度保持部２２ｂ側に亘って設けられている。スロット部２２６は、上部が開口した開口部２６ａを有しており、この開口部２２６ａからスライド部２１４を出し入れ可能としている。一方、スライド部２１４は、レンズシート２１１と折り目を介して一体的に形成されており、レンズシート２１１に対して垂直方向に延びている。
【００５７】
このような構成により、図８（ａ）及び（ｂ）に示すように、スライド部２１４をスロット部２２６の内部に対して上下に移動することで、連結されたレンズシート２１１を台座部２３の斜面シート２３３に対して垂直方向に伸縮させることができる。なお、図示していないが、スロット部２２６の内部には、情報処理端末の機種に応じて、スライド部２１４と係合する係合孔を複数設け、スライド部２１４の位置を段階的に調整することができるようになっている。
【００５８】
また、このようなレンズ部２１は、連結部２２と着脱可能であるため、例えば、情報処理端末１０の表示部１１の大きさに応じたサイズのレンズシート２０１を有するレンズ部２１を複数容易して、設置される情報処理端末１０に応じて選択可能となっている。
【００５９】
また、本実施形態においては、背面シート２２１の表面に、６面が囲まれた直方体状の箱部材２４が設けられており、この箱部材２４と背面シートにて枠体部を形成させている。この箱部材２４は内部が空中となっている。また、仕切部３０ａを内部に挿通させるための係合孔２４１が仕切部３０ａに対応して設けられている。なお、本実施形態において、箱部材２４は、接着剤等により、背面シート２２１と貼り合わされるとともに、角度保持シート２２２と貼り合わされているものとする。
【００６０】
このような実施形態によれば、スライド部２１４をスロット部２２６内においてスライド移動させることで、図９に示すように、レンズシート２１１を台座部２３の斜面シート２３３に対して垂直方向に伸縮させることができるため、台座部２３上に配置された情報処理端末１０の厚みに合わせて、表示部１１からレンズ部２１までの距離を微調整することができる。その結果、各メーカーから製造され、厚みの異なる各情報処理端末に応じた設定が可能となり、様々な種類の情報処理端末で立体画像を観察させることができる。
【００６１】
なお、本実施形態では、箱部材２４を設け、背面シート２２１及び角度保持シート２２２に貼り合わせる構成としたが、本考案はこれに限定するものではなく、例えば、背面シート２２１及び角度保持シート２２２を箱部材２４の一部とし、台座部２３と連結部２２とを一枚のシート部材で一体形成させてもよい。
【００６２】
（変更例）
なお、上述した各実施形態の説明は、本考案の一例である。このため、本考案は上述した実施形態に限定されることなく、本考案に係る技術的思想を逸脱しない範囲であれば、設計等に応じて種々の変更や、それぞれの構成を組み合わせることが可能であることはもちろんである。図１０（ａ）は、変形例に係るレンズ部２１に形成される基準表示を示す上面図であり、同図（ｂ）は、変形例に係るレンズ部に形成される固定部を示す上面図である。また、図１１は、（ａ）及び（ｂ）は、変形例に係る支持部で情報処理端末を支持する状態を示す要部断面図である。図１２（ａ）及び（ｂ）は、変形例に係る立体映像観察装置の全体構成を示す斜視図である。
【００６３】
例えば、図１０（ａ）に示すように、レンズシート２１１に形成されるレンズ部材２１２の位置を調整可能としてもよい。具体的には、レンズシート２１１の表面には、レンズシート２１１に形成された貫通孔２１２ａが形成され、その貫通孔２１２ａに嵌合される一対のレンズ２１２，２１２の位置を調整するための基準表示２１５が記されている。また、嵌合されるレンズ部材２１２は、その外縁に紙、又はプラスチック等で形成された枠部２１２ｂが形成されている。
【００６４】
そして、この枠部２１２ｂの外縁をいずれかの基準表示２１５に基づいて配置された後、貼り合わせることで、レンズ部材２１２，２１２を観察者の瞳孔に対応した位置に調整することができる。また、レンズ部材２１２は着脱可能であるため、屈折度数の異なるレンズ部材２１２を複数容易し、観察者の視力に応じてレンズ部材２１２を変更可能としてもよい。なお、レンズシート２１１に取り付けられるレンズ部材２１１は、１枚のレンズ部材のみならず、複数のレンズ部材を重ねて利用することもできる。この場合には、例えば、視力が弱く通常眼鏡を使用している観察者であっても、眼鏡をはずした状態で立体画像を観察させることができる。
【００６５】
このレンズ部材２１２，２１２の貼り合わせは、例えば、図１０（ｂ）に示すように、レンズシート２１１上に両面テープ等の固定部２６を設け、この固定部２６でレンズ部材２１２，２１２の枠部２１２ｂを固定することにより、レンズ部材２１２，２１２を位置決めする。
【００６６】
また、上述した各実施形態では、台座部２３の斜面シート２３３内に情報処理端末１０の表示部１１がすべて収まるサイズの端末（例えば、スマートフォン）を用いたが、例えば、表示部１１のサイズが大きいタブレット端末１０ａを用いることもできる。この場合には、例えば、台９上に、台座部の斜面と同角度の斜面を有する支持部２５を配置させ、情報処理端末の一端を支持させる。
【００６７】
これにより、表示部１１のサイズが大きいタブレット端末１０ａを用いた場合でも、一端を台座部２３の斜面シート２３３に配置させ、他端を支持部２５で支持することで、タブレット端末１０ａの表示部１１をレンズ部２１に対して平行に設置することができ、適切に立体映像を観察させることができる。
【００６８】
また、上述した第２実施形態においては、レンズ部２１の位置を調整する機構として、スライド部２１４及びスロット部２２６を設けたが、例えば、図１２（ａ）及び（ｂ）に示すように、第１実施形態の構成を変更して、スライド移動可能としてもよい。
【００６９】
この場合には、台座部２３と連結部２２とは一体的に連結され、レンズ部２１は着脱可能となっている。レンズ部２１には、第２実施形態と同様、レンズシート２１１にスライド部２１４が連結された構成とする。そして、本変形例では、背面シート２２１に２つの切れ目２２１ａ，２２１ｂを形成させ、その切れ目に、スライド部２１４を差し込むようにする。
【００７０】
この場合でも、レンズシート２１１を台座部２３の斜面シート２３３に対して垂直方向に伸縮させることができ、その結果、より簡易に台座部２３上に配置された情報処理端末１０の表示部１１からレンズ部２１までの距離を調整することができる。
【００７１】
なお、この変形例においては、背面シート２２１の上部に折り曲げ可能な上面シート２２７を形成させ、この上面シート２２７に仕切部３０の突出部３０２を係合される係合孔２２７ａを設けて仕切部３０を固定する。
【００７２】
なお、上述した各実施形態及び変形例では、台座部２３の斜面シート２３３を台９の表面に対して約３０度の角度で傾いた状態としたが、本考案は、これに限定するものでなく、表示部１１に表示された画像が一対のレンズ部材２１２，２１２に入射され、観察者が適切な立体画像を観察できればよく、台座部２３の角度は種々変更可能である。
【符号の説明】
【００７３】
ＥＹＥ…眼
１，１ａ…映像観察装置
９…台
１０…情報処理端末
１０ａ…タブレット端末
１１…表示部
２０…筐体
２１…レンズ部
２２…連結部
２２ａ…枠体部
２２ｂ…角度保持部
２３…台座部
２４…箱部材
２６…固定部
２５…支持部
３０，３０ａ…仕切部
２１１…レンズシート
２１１ａ…係止孔
２１２…レンズ部材
２１２ａ…貫通孔
２１２ｂ…枠部
２１４…スライド部
２１５…基準表示
２２１…背面シート
２２１ａ，２２１ｂ…切れ目
２２２…角度保持シート
２２２ａ…係止孔
２２３…連結シート
２２４，２２５…側面シート
２２４ａ，２２４ｂ…のりしろ部
２２５ａ，２２５ｂ…のりしろ部
２２６…スロット部
２２６ａ…開口部
２２７…上面シート
２２７ａ…係合孔
２３１…底面シート
２３２…側面シート
２３３…斜面シート
２４１…係合孔
３０１…切欠部
３０２，３０３…突出部
３０３…突出部
【図１】
0003185458.tif 000003
【図２】
0003185458.tif 000004
【図３】
0003185458.tif 000005
【図４】
0003185458.tif 000006
【図５】
0003185458.tif 000007
【図６】
0003185458.tif 000008
【図７】
0003185458.tif 000009
【図８】
0003185458.tif 000010
【図９】
0003185458.tif 000011
【図１０】
0003185458.tif 000012
【図１１】
0003185458.tif 000013
【図１２】
0003185458.tif 000014